(57)【要約】【課題】  水位（貯水量）の変化に応じ抗菌剤を必要なときに必要な量だけ溶出させて常に濃度を一定に保ち、長期間安定して効率的に静菌効果を持続させることができる空気調和機のドレン水静菌構造を提供する。【解決手段】  この発明は、空気調和機１のドレンパン８部分において、抗菌部材５０を、ドレン溝部８２内のドレン水の水位変化に対応して、ドレン溝部８２の底部付近から上記最大水位Ｌ2付近に亘って設置したことを特徴としている。  このような構成によると、ドレンパン８内の貯水量が増加して水位が上昇すると、ドレン水に浸漬している抗菌剤の量は増加する。反対に貯水量が減少して水位が低下すると、同状態の抗菌剤の量は減少する。これにより貯水量が変化しても、抗菌剤濃度を常に一定に保つことができるようになる。【選択図】        図３
2006170477.tif 000002
【特許請求の範囲】
【請求項１】
空気調和機１のドレンパン（８）部分において、抗菌部材（５０）を、ドレン溝部（８２）内のドレン水の水位変化に対応して、ドレン溝部（８２）の底部付近から最大水位Ｌ2付近に亘って設置したことを特徴とする空気調和機のドレン水静菌構造。
【請求項２】
抗菌部材（５０）は、ドレン溝部（８２）の底部付近から最大水位Ｌ2位置付近まで連続する一体のものよりなっていることを特徴とする請求項１記載の空気調和機のドレン水静菌構造。
【請求項３】
抗菌部材（５０）は、ドレン溝部（８２）の底部付近から最大水位Ｌ2位置付近まで段階的に連続する複数体のものよりなっていることを特徴とする請求項１記載の空気調和機のドレン水静菌構造。
【請求項４】
一体の抗菌部材（５０）は、ドレン溝部（８２）の底部側から最大水位Ｌ2側にかけて、抗菌剤（５０Ｂ），（５０Ｂ）・・・の量が多くなるように構成されていることを特徴とする請求項２記載の空気調和機のドレン水静菌構造。
【発明の詳細な説明】
【技術分野】
【０００１】
本願発明は、空気調和機のドレン水静菌部の構造に関するものである。
【背景技術】
【０００２】
一般に空気調和機の熱交換器等の下部には、ドレン水を受け止めて外部に排出するドレンパンが設けられている。
【０００３】
一旦ドレンパン内に貯留されたドレン水は、例えば窓型や壁掛け型の空気調和機の場合には、当該ドレンパン内の傾斜溝を利用してドレン配管により外部に流し、また天井埋込型や天井吊下型の空気調和機の場合には、一般にドレンポンプ（ドレンアップキットを含む）を介して汲み上げ、ドレン配管を通して外部に排出する。
【０００４】
しかし、何れの場合にも、所定時間内はドレンパン内にドレン水が停滞する。そのため、ドレンパン内のドレン水には細菌が繁殖する。その結果、スライム生成による異臭やドレン配管詰まり等の問題を発生させる。
【０００５】
この対策として、これまで例えばドレンパンの内壁面に結晶性ポリプロピレン、無機充填剤および抗菌剤を含む抗菌剤含有樹脂組成物層を積層し、さらに同抗菌剤含有樹脂組成物層の上に、上記抗菌剤を透過させることが可能な樹脂製シートあるいはフィルムを積層して、凝縮水がこのシートあるいはフィルムに接するようにしたり（特許文献１参照）、またドレンパン底面に殺菌効果のある銅合金箔を接着したり（特許文献２参照）、ドレンパン形成部材に殺菌剤を入れる一方、さらに殺菌機能の高い紫外線ランプを設け、ドレン水中に紫外線を照射するようにしたもの（特許文献３参照）などがある。
【０００６】
しかし、これらのものは何れもドレンパン自体の構造を複雑なものとし、またスライム発生等汚染の進行によって、次第に静菌効果が低下してくる問題がある。
【０００７】
また、後者の紫外線ランプを設けるものの場合、空気調和機の形態によっては１つのランプでドレンパン全体を均一に照射することが困難であり、複数のランプを必要とするので、設置コストおよびランニングコスト共に高くなる問題がある。
【０００８】
このような事情から、一般には、例えば図２１の（ａ），（ｂ）に示すようなメッシュ構造等多孔壁構造の容器本体５０Ａ内に、例えば無機系抗菌剤を担持した水溶解性ガラス等の、水に溶けることによって殺菌効果のある抗菌剤が溶出する粒状又はペレット状の抗菌剤５０Ｂ，５０Ｂ・・・を充填した抗菌部材５０を、同図２１の（ａ），（ｂ）に示すように横倒しの全没浸漬状態で使用しているのが実情である。
【０００９】
このような静菌構造の場合、一定期間使用して、容器５０Ａ内の抗菌剤５０Ｂ，５０Ｂ・・・がなくなると、新たなものに取り換えれば良く、同交換により長期間に亘る使用が可能となる。
【００１０】
【特許文献１】特開平１０−７８２４０号公報（明細書第１−４頁、図１−３）
【特許文献２】特開平２−１０６６３０号公報（明細書第１−２頁、図４）
【特許文献３】特開２０００−９７４４７号公報（明細書第１−３頁、図１，２，４）
【発明の開示】
【発明が解決しようとする課題】
【００１１】
ところで、以上のような抗菌部材５０には静菌効果を発揮する必要最小限度の濃度が存在する。またこの最小濃度は、使用する抗菌剤５０Ｂ，５０Ｂ・・・の種類によって異なる。そこで、通常、使用条件の範囲内における最悪の条件（抗菌剤の溶出濃度が最も低くなる条件）下で、この最小濃度を確保し、かつ使用年数間の全体に亘って安定して有効な静菌効果を発揮できることを前提として、初期抗菌剤の量（浸漬量）を決定する。
【００１２】
このようにして決定した抗菌剤量（浸漬量）を、図２１の（ａ）に示すようにドレン水中に全没浸漬して使用すると、最も抗菌剤５０Ｂ，５０Ｂ・・・の溶出量が多くなるので、最悪条件下でも、それ以外の条件下でも有効に静菌効果が発揮されるが、それ以外の条件下では抗菌剤の濃度は必要以上の高い濃度になり、抗菌剤を無駄に消費することになる。
【００１３】
ところで、この場合における抗菌剤５０Ｂ，５０Ｂ・・・の溶出特性を見ると、図２２のような傾向を示す。図２２は、ドレンパン８内の貯水量と抗菌剤濃度との関係を示している。今抗菌剤の浸漬量と浸漬時間とを一定とすると、貯水量が少ないほど抗菌剤濃度は増加する。したがって、貯水量に比例して抗菌剤の浸漬量を変えることができれば常に最小濃度を確保することができることになる。
【００１４】
しかるに、上述のように単に抗菌部材５０を最小水位Ｌ1に対応して全没状態で浸漬したのでは、このような要求に対応することができない。
【００１５】
本願発明は、このような課題を解決するためになされたもので、抗菌剤を、その時の水位に応じて、必要なときに必要な量だけ溶出させ、貯水量の変化にかかわらず、常に濃度を一定に保ちながら、長期間に亘って安定して効率的に静菌効果を持続させ得るようにした空気調和機のドレン水静菌構造を提供することを目的とするものである。
【課題を解決するための手段】
【００１６】
本願発明は、上記の目的を達成するために、次のような課題解決手段を備えて構成されている。
【００１７】
（１）  第１の課題解決手段
この発明の第１の課題解決手段は、空気調和機１のドレンパン８部分において、抗菌部材５０を、ドレン溝部８２内のドレン水の水位変化に対応して、ドレン溝部８２の底部付近から上記最大水位Ｌ2付近に亘って設置したことを特徴としている。
【００１８】
このような構成によると、貯水量が増加して水位が上昇すると、ドレン水に浸漬している抗菌剤の量は増加する。反対に貯水量が減少して水位が低下すると、同状態の抗菌剤の量は減少する。これにより貯水量が変化しても、抗菌剤濃度を常に一定に保つことができるようになる。
【００１９】
（２）  第２の課題解決手段
この発明の第２の課題解決手段は、上記第１の課題解決手段の構成において、抗菌部材５０は、ドレン溝部８２の底部付近から最大水位Ｌ2位置付近まで連続する一体のものよりなっていることを特徴としている。
【００２０】
このような構成によれば、ドレン溝部８２の底部付近から最大水位Ｌ2位置付近まで連続する一体の抗菌部材５０によって、貯水量が増加して水位が上昇すると、ドレン水に浸漬している抗菌剤の量は増加する。反対に貯水量が減少して水位が低下すると、抗菌剤の量は減少する。これにより貯水量が変化しても、抗菌剤濃度を常に一定に保つことができるようになる。
【００２１】
（３）  第３の課題解決手段
この発明の第３の課題解決手段は、上記第１の課題解決手段の構成において、抗菌部材５０は、ドレン溝部８２の底部付近から最大水位Ｌ2位置付近まで段階的に連続する複数体のものよりなっていることを特徴としている。
【００２２】
このような構成によれば、ドレン溝部８２の底部付近から最大水位Ｌ2位置付近まで段階的に連続する複数体の抗菌部材５０，５０，５０によって、貯水量が増加して水位が上昇すると、ドレン水に浸漬している抗菌剤の量は増加する。反対に貯水量が減少して水位が低下すると、抗菌剤の量は減少する。これにより貯水量が変化しても、抗菌剤濃度を常に一定に保つことができるようになる。
【００２３】
（４）  第４の課題解決手段
この発明の第４の課題解決手段は、上記第２の課題解決手段の構成において、一体の抗菌部材５０は、ドレン溝部８２の底部側から最大水位Ｌ2側にかけて、抗菌剤の量が多くなるように構成されていることを特徴としている。
【００２４】
したがって、このような構成によると、水位に対応して抗菌剤の浸漬量を最適に変化させることができ、ドレン水の貯水量が変化しても、ドレン水中の抗菌剤の濃度を、より確実に一定に保つことができるようになる。
【発明の効果】
【００２５】
以上の結果、本願発明によれば、抗菌剤の無駄な消耗を減らし、最大限まで有効に寿命を長く延ばすことができる。
【００２６】
また、常に有効な一定の殺菌濃度で抗菌剤を作用させることができるので、その間安定した静菌効果を維持させることができる。
【発明を実施するための最良の形態】
【００２７】
（最良の実施の形態１）
以下、本願発明の最良の実施の形態１に係る空気調和機のドレン水の静菌構造について説明する。
【００２８】
（適用対象である空気調和機の一例）
先ず、本願発明が適用される空気調和機の構造の一例を、図１〜図２に示す。
【００２９】
この空気調和機は、同図１〜図２に示すように、天井１４に形成された開口部７の上方に空気調和機本体１を配置し、該空気調和機本体１の下面部に対して下方側から上記開口部７を覆う化粧パネル２を取り付けて構成されており、上記空気調和機本体１の略六角形のカセット型の本体ケーシング３内には、略環状の熱交換器４内側と、該熱交換器４の中心部にあって吸込側を下向きとし、かつ空気吹出側を上記熱交換器４の側面方向としたファン（遠心羽根車）５およびファンモータ９と、上記ファン５の吸込側に配置されたベルマウス６（空気吸込口６ａ）が配設されている。
【００３０】
この場合、ファン５は、例えば上方側のハブ５ａと下方側シュラウド５ｃとの間に多数枚のブレード５ｂ，５ｂ・・・を備えた遠心ファンにより構成されている。そして、同ファン５は、ハブ５ａの中心軸部分を、上記ファンモータ９のモータ軸９ａに固定して水平回転可能に支持されている。また、ファンモータ９は、そのファンモータ取付ブラケット９ｂ部分をファンモータ取付部材１１，１１・・・を介して、天板３２に取り付けることにより、天板３２に支持されている。
【００３１】
なお、符号８は上記熱交換器４の形状に対応して、その下方に配置されたドレンパン、１０は上記熱交換器４の外周側に形成された空気吹出通路、１０ａは同空気吹出通路下流の空気吹出口である。
【００３２】
上記カセット型の本体ケーシング３は、上述のように略六角形形状とされており、断熱材からなる側壁３ａと、該側壁３ａの上部を覆う上述の天板３２とからなっている。
【００３３】
上記熱交換器４は、平行な２列の伝熱管４２，４２、４２，４２・・・とそれらがクロス方向に嵌挿された多数のプレートフィン４１，４１、４１，４１・・・よりなるクロスフィンコイル型のものよりなり、その両開放端側には各々管板１１，１１が設けられ、これら各管板１１，１１間は、所定の仕切り板１２により連結されている。
【００３４】
上記本体ケーシング３の天板３２、上記管板１１，１１、上記仕切り板１２および上記ベルマウス６の下面に取り付けられるスイッチボックス１３は、共に板金製品により構成されている。そして、上記天板３２と上記スイッチボックス１３は、例えば上記仕切り板１２の上下両端部に対してビス止めされて固定されるようになっている。
【００３５】
一方、上記ベルマウス６一側には、上記スイッチボックス１３を収納する凹部１４が形成されており、該凹部１４内に、上記スイッチボックス１３が嵌合されるようになっている。
【００３６】
また、上記仕切り板１２の下端には、その両端部に位置して上記管板１１，１１の下端への結合部となる取付片１９，１９が一体に突設されている。上記取付片１９は、上記管板１１に対してビスにより下方から固着されている。
【００３７】
また、符号２１は室外へのドレンホース接続口、２２はドレンポンプ、２３はフロートスイッチ、２４はドレンポンプ２２が配置されるドレンポンプ収容部、１３ａはドレンポンプ収容部を仕切る仕切り板、２６は上記スイッチボックス１３の蓋カバーである。
【００３８】
（ドレンパンおよび抗菌部材の設置構造）
ところで、本実施の形態の上記ドレンパン８部分は、例えば図３のように構成されている。
【００３９】
すなわち、該ドレンパン８は、全体として所定の断熱材により形成され、図３に示すように、外周側の側壁８ａと内周側の側壁８ｂとの間に、熱交換器４のプレートフィン４１，４１、４１，４１・・・が載置される第１の溝部８１と、該第１の溝部８１よりも深さが深いドレン水排出用の第２の溝部８２との２つの溝部が設けられている。
【００４０】
そして、上記第２の溝部８２部分には、上記第１の溝部８１および第２の溝部８２内に貯留（流出状態も含む）されたドレン水に対して抗菌剤５０Ｂを作用させて、ドレン水の静菌を行う抗菌部材５０が、上下方向に延び、上記第２の溝部８２の底部と最大水位Ｌ2間に亘る立設状態で設置されている。
【００４１】
この抗菌部材５０は、例えば図４〜図６に詳細に示すように、上記第２の溝部８２の底部と最大水位Ｌ2部間の寸法（距離）に応じた所定の長さＬ3の円筒体構造をなす多孔壁の容器本体５０Ａと、該容器本体５０Ａの内部に略充満する状態で多数収納された粒状又はペレット状の抗菌剤５０Ｂ，５０Ｂ・・・とから構成され、その下端５０ａ側が最小水位Ｌ1時のドレン水中に確実に浸漬され、かつ上端５０ｃ側が最大水位Ｌ2位置に達するようにして、上記第２の溝部８２の底部上に支持されている。
【００４２】
そして、上記容器本体５０Ａ内の粒状又はペレット状の抗菌剤５０Ｂ，５０Ｂ・・・は、水に溶解する特性を持っており、上記ドレンパン８の第１，第２の溝部８１，８２内のドレン水の量（浸漬量）に応じて、溶解し、容器本体５０Ａの壁部の多数の穴より外部に溶出してゆき、ドレン水中の細菌を効果的に殺菌する。
【００４３】
このような静菌作用を実現する場合、前述のごとく、その抗菌剤５０Ｂには、有効な静菌効果を発揮させるに必要な最小濃度が存在する。この最小濃度は、使用する抗菌剤５０Ｂの種類によって異なる。そこで、通常、前述のように、使用条件の範囲内の最悪条件（抗菌剤の溶出濃度が最も低くなる条件）下でこの最小濃度を確保し、なおかつ使用年数（例えば１０年）間で安定して有効な静菌効果を発揮できることを前提に、初期抗菌剤量（浸漬量）を決定する。
【００４４】
このようにして決定した初期抗菌剤量（浸漬量）を、従来（図２１）のようにドレン水中に全没状態で浸漬して使用すると、最悪条件の下でも、それ以外の条件の下でも有効に静菌効果は発揮されるが、それ以外の条件下では抗菌剤の濃度が必要以上に高くなるため抗菌剤を無駄に消費することになる。
【００４５】
ところで、この場合における上記抗菌剤５０Ｂ，５０Ｂ・・・の溶出特性を見ると、例えば図２２のような傾向を示す。図２２は、ドレンパン８内の貯水量と抗菌剤濃度との関係を示している。今抗菌剤の浸漬量と浸漬時間とを一定とすると、貯水量が少ないほど抗菌剤の濃度は増加する。したがって、貯水量に比例して抗菌剤の浸漬量を変えることができれば、水位の変化にかかわらず常に最小濃度を確保することができることになる。
【００４６】
次に貯水量の変化条件を把握する必要がある。現状の自己制御型ドレンポンプを使用する場合は、梅雨時などの、発生するドレン量の多い時は貯水量は増加する。反対に中間期などのドレン量が少ない時は貯水量は減少する。また、冷房状態から運転を停止すると、ドレンポンプ２２が停止し、熱交換器４に滞留しているドレン水がドレンポンプ２２に排出されるため、貯水量が増加する。つまり、ドレン水の貯水量は運転条件により変化するが、ドレン水の貯水量とドレン水の水位は比例するためドレン水の水位を知ることにより、ドレン水の貯水量を把握することができる。
【００４７】
したがって、ドレン水の水位に対応して抗菌剤の浸漬量を変化させれば、ドレン水の貯水量が変化してもドレン水中の抗菌剤の濃度を一定に保つことができることになる。
【００４８】
このため、上記のように、第２の溝部８２の底部から最大水位Ｌ2位置まで、予測される水位の変化幅に対応した長さＬ3の抗菌部材５０を配置する。これによりドレン水の貯水量が増加してドレン水の水位が上昇すると、ドレン水に浸漬している抗菌剤の量は増加する。反対にドレン水の貯水量が減少して水位が低下すると、抗菌剤の量は減少する。したがって、ドレン水の貯水量が変化しても抗菌剤の濃度を一定に保つことができるようになる（図７の（ａ），（ｂ）参照）。
【００４９】
しかも、同構成では、抗菌部材５０のみの構成単独で任意に対応することができ、ドレンパン８側の構成は従来のままで良いので、構成は簡単で、低コストで済む。
【００５０】
これらの結果、本実施の形態の構成によれば、従来（図２１の（ａ），（ｂ））の全没浸漬の場合と異なり、抗菌剤５０の無駄な消耗を減らし、一定の安定した濃度で最大限まで有効に寿命を長く延ばすことができる。
【００５１】
すなわち、同構成では、抗菌剤５０Ｂ，５０Ｂ・・・が、その時のドレン水の貯水量に応じて必要なときに必要な量だけ溶出され、常に濃度を一定に保ち、長時間安定して効率的に静菌効果を持続させることができる。
【００５２】
（変形例１）
次に図８および図９，図１０は、上述した抗菌部材５０の形状を、円筒体形状のものから扁平な筒体形状のものに変更したことを特徴とするものである。その他の構成は、上記実施の形態１のものと全く同一である。
【００５３】
このような構成によっても、上記実施の形態１のものと全く同一の作用効果を得ることができる。
【００５４】
また、このような構成によると、ドレンパン８内の第２の溝部８２の幅が狭い場合にも、容易に設置することができる。
【００５５】
さらにこのような構成の場合、容器本体５０Ａを例えば可撓性のあるメッシュ部材（合成樹脂製）により構成するのに適している。
【００５６】
なお、容器本体５０Ａをメッシュ部材により構成した場合、例えば図１０に示すように、折り返し構造として一側および上下両側を接合するか又は縫い合わせることにより、扁平な袋体構造を実現するようにしてもよい。
【００５７】
（変形例２）
次に図１１〜図１３は、上述した抗菌部材５０を、多孔壁構造の容器本体５０Ａ内に粒状又はペレット状の抗菌剤５０Ｂ，５０Ｂ・・・を収納するのではなく、例えば水溶性のある合成樹脂材５０Ｄ内に粒状又はペレット状の抗菌剤５０Ｂ，５０Ｂ・・・を均一に練り込んで、同様の長さ、同様の直径の円柱体構造としたことを特徴とするものである。
【００５８】
このような構成の場合にも、合成樹脂材５０Ｄおよび抗菌剤５０Ｂ，５０Ｂ・・・が溶解するに連れて、有効に殺菌作用が発揮されるので、何らかの保持手段で、上述の図３と同様の状態に保持して置きさえすれば、上述の場合と略同様の水位に応じた一定の濃度での長期（１０年〜１０数年）に亘る安定した抗菌作用の持続が可能となる。
【００５９】
（最良の実施の形態２）
次に図１４および図１５は、本願発明の最良の実施の形態２に係る空気調和機のドレン水静菌構造を示している。
【００６０】
この実施の形態では、上述の抗菌部材５０を、例えば熱交換器４のプレートフィン４１，４１間の隙間に挟み込んで固定することにより、上述の最良の実施の形態１の場合と同様の状態でドレンパン８の第２の溝部８２内に設置したことを特徴としている。
【００６１】
その他の構成は、全て上述の最良の実施の形態１のものと同一である。
【００６２】
このような構成によっても、上記最良の実施の形態１の場合と全く同様の作用効果を得ることができる。
【００６３】
また、この場合、実際の設置に際し、特別な取付部材や取り付け構造を必要としないので、低コストである。
【００６４】
（最良の実施の形態３）
次に図１６および図１７は、本願発明の最良の実施の形態３に係る空気調和機のドレン水静菌構造を示している。
【００６５】
上記最良の実施の形態２の構成では、上述のように抗菌部材５０を、熱交換器４のプレートフィン４１，４１・・・部分に接して設置するので、どうしてもプレートフィン４１，４１間の通風量の低下を招く。
【００６６】
そこで、この実施の形態では、例えば図１６および図１７に示すように、係合部材５１を用い、同係合部材５１を、例えば円筒体構造の抗菌部材５０を嵌合保持する円環状のリング部５１ｃと、該リング部５１ｃの背面に連結され、係止片５１ａを介してドレンパン８の側壁８ａに係合される側面逆Ｊの字状のフック部５１ｂとから構成し、同フック構造の係合部材５１により、上記抗菌部材５０をドレンパン８の外周側の側壁８ａに近接させて図３と同様の状態に設置することによって、プレートフィン４１，４１間の通風量の低下を防止したことを特徴とするものである。
【００６７】
また、このような構成によると、側壁８ａに対してフック部５１ｂの係合片５１ａを係合させるだけでよいので、抗菌部材５０の設置、交換も容易となる。
【００６８】
（最良の実施の形態４）
次に図１８は、本願発明の最良の実施の形態４に係る空気調和機のドレン水静菌構造を示している。
【００６９】
この実施の形態では、上述の抗菌部材５０を、例えば適度な振動（微振動）を受けやすく、しかも一般的にメンテナンススペースとして設定されているドレンポンプ２２部分に設置したことを特徴としている。
【００７０】
このドレンポンプ設置部は、例えば図２からも明らかなように、設置された熱交換器４の外周側に所定の距離を置いて設けられており、同部分では、例えば図１８に示すように熱交換器４下部のドレンパン８の第２の溝部８２部分も所定距離半径方向外方に幅広く形成されており、同溝部８２の底部にドレンポンプ２２の吸水口２２ａが吸水可能に臨ましめられている。
【００７１】
また、ドレンポンプ２２のドレン水排出口２２ｂにはドレンホース２０の一端が嵌合されている。
【００７２】
この実施の形態の場合、該ドレンポンプ２２の本体側ポンプケーシングの底壁部には、所定の間隔を保って、抗菌部材５０を挟着保持するための係合片２２ｃが一体成形されており、その先端に上述した円筒体構造の抗菌部材５０が、ドレンパン８内の最大水位Ｌ2と第２の溝部８２の底部間に亘って保持されている。
【００７３】
このような構成によれば、抗菌部材５０の設置により、上記各最良の実施の形態のものと同様の作用効果を得ることができることはもとより、ドレンポンプ２２駆動時の微振動により、抗菌剤５０Ｂ，５０Ｂ・・・を容器本体５０Ａの全体からスムーズに溶出できるようになり、より確実な抗菌剤５０Ｂ，５０Ｂ・・・の溶出が可能となる。
【００７４】
一般に上述した粒状又はペレット状の抗菌剤５０Ｂ，５０Ｂ・・・は、容器本体５０Ａ内から外部に必ずしもスムーズかつ均一には溶出しない。したがって、スムーズに溶出させるためには、若干の工夫が必要である。
【００７５】
上記の構成は、その場合の対策として、効果が高い。
【００７６】
また、ドレンポンプ２２部分は、本来メンテナンススペースとして設定されているので、使用年数が経過した抗菌部材５０の交換にも便利である。
【００７７】
（最良の実施の形態５）
次に図１９は、本願発明の最良の実施の形態５に係る空気調和機のドレン水静菌構造を示している。
【００７８】
この実施の形態では、上述の最良の実施の形態１における抗菌部材５０の全体の形状を、ドレンパン８内の溝部８１，８２の形状に応じ、例えば最小水位Ｌ1付近以下の部分では小径に、他方同最小水位Ｌ1付近から上方側最大水位Ｌ2付近までの部分では大径にすることにより、ドレンパン８内の第２の溝部８２の底部側から最大水位Ｌ2側にかけて、段階的に抗菌剤の量が多くなるように構成したことを特徴としている。
【００７９】
したがって、このような構成によると、ドレン溝の形状とそれに対応した水位の変化に対応して抗菌部材５０の浸漬量を、より最適に変化させることができ、ドレン水の貯水量が変化しても、ドレン水中の抗菌剤の濃度を、より確実に一定に保つことができるようになる。
【００８０】
（最良の実施の形態６）
次に図２０は、本願発明の最良の実施の形態６に係る空気調和機のドレン水静菌構造を示している。
【００８１】
この実施の形態では、上述の最良の実施の形態１における抗菌部材５０の全体の形状を、例えば最小水位Ｌ1付近以下の部分では小径に、他方同最小水位Ｌ1付近から上方側最大水位Ｌ2付近にかけて徐々に大径にすることにより、ドレンパン８内の第２の溝部８２の底部側から最大水位Ｌ2側にかけて、抗菌剤の量が多くなるように構成したことを特徴としている。
【００８２】
したがって、このような構成によると、水位に対応して抗菌部材５０の浸漬量を最適に変化させることができ、ドレン水の貯水量が変化しても、ドレン水中の抗菌剤の濃度を、より確実に一定に保つことができるようになる。
【００８３】
（最良の実施の形態７）
以上の各実施の形態の構成では、上述のように第２のドレン溝部８２の底部から最大水位Ｌ2付近まで設置される抗菌部材５０を、それぞれその全体に亘って一体のもので構成したが、これは例えばドレン溝部８２の底部付近から最大水位Ｌ2位置付近まで段階的に連続する複数体のものとしてもよい。
【００８４】
このような構成によれば、ドレン溝部８２の底部付近から最大水位Ｌ2位置付近まで段階的に連続する複数体の抗菌部材５０，５０，５０・・・によって、貯水量が増加して水位が上昇すると、ドレン水に浸漬している抗菌剤の量は増加し、反対に貯水量が減少して水位が低下すると、抗菌剤の量は減少するようにすることができる。そして、これにより貯水量が変化しても、抗菌剤濃度を常に一定に保つことができるようになる。
【００８５】
（その他の最良の実施の形態）
（ａ）  適用される空気調和機について
以上の説明では、一例として天井埋込型の空気調和機を対象としたが、本願発明の静菌構造は、その他のタイプの空気調和機、例えば天井吊下型空気調和機、壁掛け型空気調和機、窓型空気調和機等の各種空気調和機におけるドレン水の静菌に有効である。
【００８６】
また、ドレンパン部分にドレンポンプを有するものはもちろん、ドレンポンプを有しないものでもよい。
【００８７】
さらに、ドレンパン、ドレンポンプに関しては、例えばドレンパン、ドレンポンプ、水位制御機構がキットになったドレンアップキットを使用したものでもかまわない。
【００８８】
同キットは、室内機本体とは別置で独立（電気系統は連動している場合もある）して使用され、ドレン水が流入すれば単独でドレン排出が可能である。製品に搭載しているドレンポンプでは揚程が不足するような場合は、このキットを別置で使用する。この場合でも、本願発明の内容は有効である。
【００８９】
（ｂ）  抗菌剤について
以上の各実施の形態において使用する抗菌剤としては、有機系抗菌剤、無機系抗菌剤あるいはそれらの混合物の何れかを任意に選択して使用することができる。そして、有機系抗菌剤としては、例えばフェノール類、ハロアルキル類、ヨード類、ベンツイミダゾール類、チオカーバメート類、異種環式窒素化合物、キノン類、イソチアゾリン類、第４級アンモニウム塩類、シアネート類、アニリド類の他、トリクロロカルバニド、ポリヘキサメチレンバイグアニドハイドロクロリド、オクタデシルジメチル−３−トリメトキシシリルプロピルアンモニウムなどを主成分とするものを挙げることができる。
【００９０】
また、無機系抗菌剤としては、例えば銀、銅、亜鉛、錫などの無機化合物を主体とする無機系抗菌剤や、これらの抗菌剤を炭酸カルシウム、ゼオライト、カオリンクレー、珪藻土、タルク、ベントナイト、セラミックス、活性炭、アパタイトなどに担持させた無機系抗菌剤を挙げることができる。
【００９１】
セラミックス、活性炭、アパタイトなどに担持させた無機系抗菌剤は、抗菌性が高く、非揮発性であり、樹脂と混練し易いなどのメリットがある。したがって、上述の変形例２（図１２〜図１４）のような抗菌部材５０を実施するのに適している。
【００９２】
また、そのような抗菌剤含有樹脂組成物は、本願発明の目的を逸脱しない範囲で、必要に応じ、例えば消臭剤、着香剤などの添加剤を任意に添加配合することによって、より製品効果の高いものとすることができる。
【００９３】
また、上述の水に溶解する特性を持った粒状又はペレット状の抗菌剤５０Ｂ，５０Ｂ・・・として、例えば上記のような無機系抗菌剤を担持した水溶解性ガラス等のように、水に溶けることによって殺菌効果のある抗菌剤が徐々に溶出する粒状又はペレット構造の抗菌剤の採用も可能である。
【図面の簡単な説明】
【００９４】
【図１】本願発明のドレン水静菌構造が適用される各最良の実施の形態に共通な空気調和機の構造を示す断面図である。
【図２】同空気調和機の本体ケーシングおよびその内側部分の構成を示す下面図である。
【図３】本願発明の最良の実施の形態１に係る空気調和機のドレン水静菌構造を示すドレンパン部分の断面図である。
【図４】同構造の要部である抗菌部材の拡大正面図である。
【図５】同抗菌部材の平面図である。
【図６】同抗菌部材の内部の構造を示す拡大縦断面図である。
【図７】同抗菌部材の作用効果を、最小水位状態（ａ）と最大水位状態（ｂ）とに分けて、その間の作用を対比して示す説明用の断面図である。
【図８】同抗菌部材の変形例１の構成を示す平面図である。
【図９】同変形例１の抗菌部材の内部の構造を示す拡大水平断面図である。
【図１０】同変形例１の他の構成例を示す拡大水平断面図である。
【図１１】同抗菌部材の変形例２の構成例を示す平面図である。
【図１２】同変形例２の抗菌部材の構成を示す平面図である。
【図１３】同変形例２の抗菌部材の縦断面構造を示す拡大断面図である。
【図１４】本願発明の最良の実施の形態２に係る空気調和機のドレン水静菌構造を示すドレンパン部分の断面図である。
【図１５】同構造の要部の拡大正面図である。
【図１６】本願発明の最良の実施の形態３に係る空気調和機のドレン水静菌構造を示すドレンパン部分の断面図である。
【図１７】同構造の要部の拡大平面図である。
【図１８】本願発明の最良の実施の形態４に係る空気調和機のドレン水静菌構造を示すドレンパン部分の断面図である。
【図１９】本願発明の最良の実施の形態５に係る空気調和機のドレン水静菌構造を示すドレンパン部分の断面図である。
【図２０】本願発明の最良の実施の形態６に係る空気調和機のドレン水静菌構造を示すドレンパン部分の断面図である。
【図２１】従来の発明の実施の形態に係る空気調和機のドレン水静菌構造とその作用効果を、最小水位状態（ａ）と最大水位状態（ｂ）とに分けて、その間の問題点を対比して示す説明用の断面図である。
【図２２】同構造における抗菌作用の問題点を示すグラフである。
【符号の説明】
【００９５】
１は空気調和機、４は熱交換器、８はドレンパン、８ａ，８ｂは側壁、２２はドレンポンプ、４１はプレートフィン、４２は伝熱管、５０は抗菌剤、５０Ａは容器本体、５０Ｂは抗菌剤、８１は第１の溝部、８２は第２の溝部、Ｌ1は最小水位、Ｌ2は最大水位である。
【図１】
2006170477.tif 000003
【図２】
2006170477.tif 000004
【図３】
2006170477.tif 000005
【図４】
2006170477.tif 000006
【図５】
2006170477.tif 000007
【図６】
2006170477.tif 000008
【図７】
2006170477.tif 000009
【図８】
2006170477.tif 000010
【図９】
2006170477.tif 000011
【図１０】
2006170477.tif 000012
【図１１】
2006170477.tif 000013
【図１２】
2006170477.tif 000014
【図１３】
2006170477.tif 000015
【図１４】
2006170477.tif 000016
【図１５】
2006170477.tif 000017
【図１６】
2006170477.tif 000018
【図１７】
2006170477.tif 000019
【図１８】
2006170477.tif 000020
【図１９】
2006170477.tif 000021
【図２０】
2006170477.tif 000022
【図２１】
2006170477.tif 000023
【図２２】
2006170477.tif 000024